(57)【要約】【課題】  不適合な相手機器との間で無線通信が確立した場合に、その相手機器に向けて画像データの無線送信を防止することができる画像蓄積装置を提供する。【解決手段】  相手機器から赤外線で送信されてきた種別情報を情報受信部１５１で受信し、その種別情報が表わす種別が、画像入力装置１１０で得られた画像データの送信が許可された機器の種別のリスト中に記載されているか否かを送信可否判定部１５２で判定し、その判定結果を受けて画像変換部１５５でその種別に応じたフォーマットの画像データに変換して、その種別情報を送信してきた相手機器に向けて画像送信部１５３で画像データを赤外線で送信する。【選択図】  図４
2006203547.tif 000002
【特許請求の範囲】
【請求項１】
画像データを蓄積し、無線通信の相手機器との間で無線通信を確立して該相手機器に向けて画像データを無線通信する画像蓄積装置において、
画像データの送信が許可された機器の種別のリストを記憶しておくリスト記憶部と、
前記相手機器から無線送信されてきた、該相手機器の種別を表わす種別情報を受信する情報受信部と、
前記情報受信部で受信した種別情報が表わす種別が前記リスト中に記載されているか否かを判定する送信可否判定部と、
前記送信可否判定部により前記情報受信部で受信した種別情報が表わす種別が前記リスト中に記載されているとの判定結果を受けて該種別情報を送信してきた相手機器に向けて画像データを無線送信する画像送信部とを備えたことを特徴とする画像蓄積装置。
【請求項２】
前記情報受信部および前記画像送信部が、赤外線通信により種別情報の受信および画像データの送信を行なうものであることを特徴とする請求項１記載の画像蓄積装置。
【請求項３】
前記送信可否判定部により前記情報受信部で受信した種別情報が表わす種別が前記リスト中に記載されていないとの判定結果を受けて警告を表示する警告表示部を備えたことを特徴とする請求項１記載の画像蓄積装置。
【請求項４】
前記送信可否判定部により前記情報受信部で受信した種別情報が表わす種別が前記リスト中に記載されていないとの判定結果を受けて通信が確立されている通信相手との通信を一旦遮断し再び通信の確立を試みる通信接断部を備えたことを特徴とする請求項１記載の画像蓄積装置。
【請求項５】
前記リスト記憶部が、画像データの送信が許可された機器と該機器への送信画像データのフォーマットが記録されたリストを記憶しておくものであり、
前記送信可否判定部により、前記情報受信部で受信した種別情報が表わす種別が前記リスト中に記載されているとの判定結果を受けて、該種別に応じたフォーマットの画像データに変換して前記画像送信部に渡す画像変換部を備えたことを特徴とする請求項１記載の画像蓄積装置。
【請求項６】
画像データを蓄積し、無線通信の相手機器との間で無線通信を確立して該相手機器に向けて画像データを無線通信する画像蓄積装置において、
前記相手機器の、画像データに基づく画像のプリント出力の機能を有するか否かの情報を含む機能一覧を表わす機能一覧情報を受信する機能一覧情報受信部と、
前記機能一覧情報受信部で受信した機能一覧情報中に画像データに基づく画像のプリント出力の機能を有する旨の情報が含まれているか否かを判定する送信可否判定部と、
前記送信可否判定部により、前記機能一覧情報受信部で受信した機能一覧情報中に画像データに基づく画像のプリント出力の機能を有する旨の情報が含まれているとの判定結果を受けて該機能一覧情報を送信してきた相手機器に向けて画像データを送信する画像送信部とを備えたことを特徴とする画像蓄積装置。
【請求項７】
前記情報受信部および前記画像送信部が、赤外線通信により機能一覧情報の受信および画像データの送信を行なうものであることを特徴とする請求項６記載の画像蓄積装置。
【請求項８】
前記送信可否判定部により、前記機能一覧情報受信部で受信した機能一覧情報中に画像データに基づく画像のプリント出力の機能を有する旨の情報が含まれているとの判定結果を受けて警告を表示する警告表示部を備えたことを特徴とする請求項６記載の画像蓄積装置。
【発明の詳細な説明】
【技術分野】
【０００１】
本発明は、画像データを蓄積し、無線通信の相手機器との間で無線通信を確立してその相手機器に向けて画像データを無線通信する画像蓄積装置に関する。
【背景技術】
【０００２】
上述した画像蓄積装置の１つに、例えばカメラ付き携帯電話がある。このカメラ付き携帯電話では、インスタントフイルムシート上にカラー画像を印刷するプリンタとの間で、そのプリンタに向けて画像データを赤外線で通信するということが行なわれる。詳細には、カメラ付き携帯電話の赤外線通信部を上記プリンタの送受信部に向けた状態で、そのカメラ付き携帯電話を操作して、そのカメラ付き携帯電話で撮影された画像を表わす画像データを赤外線通信を用いてこのプリンタに送信する。すると、プリンタは、赤外線通信により送信されてきた画像データを受信し、その受信した画像データに基づく潜像の印刷を露光によりインスタントフイルムシート上に行ないながら、そのインスタントフイルムシートを顕像しつつ、プリンタの送出口から外部へ徐々に排出する。このようにして、インスタントフイルムシート上にカラー画像を印刷する。
【０００３】
このような画像蓄積装置において、その画像蓄積装置の規格に適合していないプリンタやパーソナルコンピュータ等との間で無線通信が確立される場合がある。その場合、それらプリンタやパーソナルコンピュータ等に画像データが誤って送信されてしまい、従って所望の相手機器に画像が印刷されないという問題が発生する。
【０００４】
ここで、シリアルケーブルを介して接続された外部機器からのプリント要求を受信すると、この外部機器に対してその要求を許可する機器か否かを判定し、その判定結果に応じてプリント出力を行なうか否かを決定する技術が提案されている（特許文献１参照）。この技術によれば、機器間接続手段を介して接続された外部機器からのプリント要求を無制限に受理して画像形成を行なうような事態を未然に回避することができる。
【特許文献１】特開平１１−１１０１６７号公報
【発明の開示】
【発明が解決しようとする課題】
【０００５】
しかし、特許文献１に提案された技術は、外部機器との間で有線通信する技術であり、シリアルケーブルで外部機器と接続して、その外部機器に対してプリント要求を許可するか否かを判定する必要がある。従って、手間がかかるという問題がある。
【０００６】
本発明は、上記事情に鑑み、不適合な相手機器との間で無線通信が確立した場合に、その相手機器に向けて画像データの無線送信を防止することができる画像蓄積装置を提供することを目的とする。
【課題を解決するための手段】
【０００７】
上記目的を達成する本発明の画像蓄積装置のうちの第１の画像蓄積装置は、画像データを蓄積し、無線通信の相手機器との間で無線通信を確立してその相手機器に向けて画像データを無線通信する画像蓄積装置において、
画像データの送信が許可された機器の種別のリストを記憶しておくリスト記憶部と、
上記相手機器から無線送信されてきた、その相手機器の種別を表わす種別情報を受信する情報受信部と、
上記情報受信部で受信した種別情報が表わす種別が上記リスト中に記載されているか否かを判定する送信可否判定部と、
上記送信可否判定部により上記情報受信部で受信した種別情報が表わす種別が上記リスト中に記載されているとの判定結果を受けてその種別情報を送信してきた相手機器に向けて画像データを無線送信する画像送信部とを備えたことを特徴とする。
【０００８】
本発明の第１の画像蓄積装置は、相手機器から無線送信されてきた種別情報を受信し、その種別情報が表わす種別が、画像データの送信が許可された機器の種別のリスト中に記載されているとの判定結果を受けて、その種別情報を送信してきた相手機器に向けて画像データを無線送信するものである。このため、不適合な相手機器との間で無線通信が確立した場合に、その相手機器に向けて画像データの無線送信を防止することができる。
【０００９】
ここで、本発明の第１の画像蓄積装置における上記情報受信部および上記画像送信部が、赤外線通信により種別情報の受信および画像データの送信を行なうものであることが好ましい。
【００１０】
このようにすると、本発明の第１の画像蓄積装置と相手機器との間における送受信を簡単に行なうことができる。
【００１１】
また、本発明の第１の画像蓄積装置における上記送信可否判定部により上記情報受信部で受信した種別情報が表わす種別が上記リスト中に記載されていないとの判定結果を受けて警告を表示する警告表示部を備えたものであることも好ましい態様である。
【００１２】
このようにすると、上記リストに記載されていない種別情報で表わされる種別の相手機器に向けて無線通信を行なうという試みを防止することができる。
【００１３】
さらに、本発明の第１の画像蓄積装置における上記送信可否判定部により上記情報受信部で受信した種別情報が表わす種別が上記リスト中に記載されていないとの判定結果を受けて通信が確立されている通信相手との通信を一旦遮断し再び通信の確立を試みる通信接断部を備えたものであることも好ましい。
【００１４】
このようにすると、ユーザは、適合する相手機器に向けて通信の確立を試みる操作をその都度行なう必要はなく、従ってユーザの手間を省くことができる。
【００１５】
また、本発明の第１の画像蓄積装置における上記リスト記憶部が、画像データの送信が許可された機器とその機器への送信画像データのフォーマットが記録されたリストを記憶しておくものであり、
上記送信可否判定部により、上記情報受信部で受信した種別情報が表わす種別が上記リスト中に記載されているとの判定結果を受けて、その種別に応じたフォーマットの画像データに変換して上記画像送信部に渡す画像変換部を備えたものであることも好ましい。
【００１６】
このように、相手の機器に応じたフォーマットの画像データに変換して送信すると、相手の機器に確実に画像データを送信することができる。
【００１７】
また、上記目的を達成する本発明の画像蓄積装置のうちの第２の画像蓄積装置は、画像データを蓄積し、無線通信の相手機器との間で無線通信を確立してその相手機器に向けて画像データを無線通信する画像蓄積装置において、
上記相手機器の、画像データに基づく画像のプリント出力の機能を有するか否かの情報を含む機能一覧を表わす機能一覧情報を受信する機能一覧情報受信部と、
上記機能一覧情報受信部で受信した機能一覧情報中に画像データに基づく画像のプリント出力の機能を有する旨の情報が含まれているか否かを判定する送信可否判定部と、
上記送信可否判定部により、上記機能一覧情報受信部で受信した機能一覧情報中に画像データに基づく画像のプリント出力の機能を有する旨の情報が含まれているとの判定結果を受けてその機能一覧情報を送信してきた相手機器に向けて画像データを送信する画像送信部とを備えたことを特徴とする。
【００１８】
本発明の第２の画像蓄積装置は、相手機器から無線送信されてきた機能一覧情報を受信し、その機能一覧情報中に画像データに基づく画像のプリント出力の機能を有する旨の情報が含まれているとの判定結果を受けて、その機能一覧情報を送信してきた相手機器に向けて画像データを無線送信するものである。このため、不適合な相手機器との間で無線通信が確立した場合に、その相手機器に向けて画像データの無線送信を防止することができるとともに、新たな規格を有する相手機器にも対応することができる。
【００１９】
ここで、本発明の第２の画像蓄積装置における上記情報受信部および上記画像送信部が、赤外線通信により機能一覧情報の受信および画像データの送信を行なうものであることが好ましい。
【００２０】
このようにすると、本発明の第２の画像蓄積装置と相手機器との間における送受信を簡単に行なうことができる。
【００２１】
また、本発明の第２の画像蓄積装置における上記送信可否判定部により、上記機能一覧情報受信部で受信した機能一覧情報中に画像データに基づく画像のプリント出力の機能を有する旨の情報が含まれているとの判定結果を受けて警告を表示する警告表示部を備えたものであることも好ましい態様である。
【００２２】
このようにすると、上記機能一覧情報中に含まれていない情報の機能を有する相手機器に向けて無線通信を行なうという試みを防止することができる。
【発明の効果】
【００２３】
本発明の画像蓄積装置によれば、不適合な相手機器との間で無線通信が確立した場合に、その相手機器に向けて画像データの無線送信を防止することができる。
【発明を実施するための最良の形態】
【００２４】
以下、本発明の実施の形態について説明する。
【００２５】
図１は、本発明の第１の画像蓄積装置の一実施形態であるデジタルカメラの外観図である。図１（ａ）は正面図、図１（ｂ）は上面図、図１（ｃ）は側面図、図１（ｄ）は背面図である。
【００２６】
図１（ａ）〜図１（ｄ）に示すデジタルカメラ１は、被写体の撮影を行なって画像データを生成して蓄積し、赤外線通信の相手機器との間で赤外線通信を確立してその相手機器に向けて画像データを赤外線通信するデジタルカメラである。
【００２７】
図１（ａ）に示すように、本実施形態のデジタルカメラ１の正面には、撮影ズームレンズ１１１が備えられている。また、このデジタルカメラ１の上部には、閃光を発光する閃光発光管１６０ａを有する閃光発光装置１６０が配備されている。
【００２８】
さらに、図１（ｄ）に示すように、デジタルカメラ１の背面にはユーザがこのデジタルカメラ１を使用するときに種々の操作を行なうためのキー入力装置１２０が設けられている。
【００２９】
このキー入力装置１２０には、デジタルカメラ１を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行を行なうための実行スイッチ１２６ａ，キャンセルを行なうためのキャンセルスイッチ１２６ｂが備えられている。
【００３０】
また、デジタルカメラ１の背面には、撮影画像や再生画像等を表示するための液晶表示装置１４０と、操作の手助けを行なうための表示部１４１が備えられている。
【００３１】
さらに、図１（ｂ）に示すように、このデジタルカメラ１の上面には、キー入力装置１２０を構成するシャッタボタン１２７が配備されている。このシャッタボタン１２７によって撮影の開始指示がデジタルカメラ１の内部に備えられた、後述するＣＰＵへと伝えられる。このデジタルカメラ１では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。
【００３２】
また、図１（ａ）に示すように、デジタルカメラ１には、ＩｒＤＡ（Ｉｎｆｒａｒｅｄ  Ｄａｔａ  Ａｓｓｏｃｉａｔｉｏｎ）に準拠した赤外線通信を行なう、後述するＩｒＤＡ通信装置１５０（図３参照）を構成する赤外線送受信窓１５０ａが備えられている。
【００３３】
図２は、図１に示すデジタルカメラと、赤外線通信の相手機器であるプリンタとの間で赤外線通信が行なわれる様子を示した図である。
【００３４】
先ず、デジタルカメラ１の、赤外線通信の相手機器であるプリンタ２００について説明する。このプリンタ２００は、画像が印刷されるインスタントフイルムシート１００１を搬送しながらそのインスタントフイルムシート１００１上に画像を印刷するプリンタである。詳細には、このプリンタ２００は、露光により潜像が形成され送り出しの際に現像剤が展開されて顕像化されるインスタントフイルムシート１００１が複数枚積層されたインスタントフイルムパックが媒体装填室に装填され、そのインスタントフイルムシート１００１を画像データに応じて露光して外部に送り出しながらそのインスタントフイルムシート１００１に現像剤を展開するものである。
【００３５】
このプリンタ２００は、デジタルカメラ１で撮影された画像を表わす画像データが赤外線通信を用いてこのプリンタ２００に送信されてきたときに、その画像データに基づいてインスタントフイルムシート１００１上に画像の印刷を行なうものであり、さらにその送信された画像データに基づく画像の再印刷を、デジタルカメラ１から再送信をわざわざ行なわなくても、後述するリピートスイッチを操作するという簡単な操作で別のインスタントフイルムシート１００１上に行なえるものである。
【００３６】
このプリンタ２００は、図２に示すように薄型で軽量かつ小型の構造を有する可搬型のプリンタであり、３Ｖ用の一次電池が２個内蔵される。このプリンタ２００の筐体２００ａ内にインスタントフイルムパックが装填され、そのインスタントフイルムパック内の、積層された複数枚のインスタントフイルムシート１００１の一枚一枚に画像の印刷が行なわれる。
【００３７】
プリンタ２００の筐体２００ａの上面には操作ボタンとして、このプリンタ２００の電源の投入および遮断を指示する電源スイッチ（以下、電源ＳＷと記述する）２０１と、送信された画像データに基づく画像の再印刷を行なうためのリピートスイッチ（以下、リピートＳＷと記述する）２０２が設けられている。また、筐体２００ａの上面には、インスタンフイルムシート１００１の残り枚数を示すカウンタ２０３が設けられている。
【００３８】
また、このプリンタ２００の端部には、前述した赤外線通信により送信されてきた画像データを受信するとともに受信された旨を相手側に知らせるための信号を送信する送受信部２０４が備えられている。
【００３９】
さらに、このプリンタ２００の筐体２００ａには、電源が投入されると点灯するとともに赤外線通信時に点滅する電源用ＬＥＤ２０５、赤外線通信においてエラーが発生すると点灯する通信エラー用ＬＥＤ２０６、および内蔵された電池電圧が低下するとユーザに電池交換を促すために点灯するローバッテリ表示用のＬＥＤ２０７が設けられている。
【００４０】
また、プリンタ２００の側面には、そのプリンタ２００の下面側に設けられたフイルムドアを開放するためのフイルムドア開放スイッチ２０８が備えられている。
【００４１】
ここで、デジタルカメラ１の赤外線送受信窓１５０ａ（図１（ａ）参照）をプリンタ２００の送受信部２０４に向けた状態で、そのデジタルカメラ１を操作して、デジタルカメラ１で撮影された画像を表わす画像データを赤外線通信を用いてこのプリンタ２００に送信する。プリンタ２００は、赤外線通信により送信されてきた画像データを受信し、その受信した画像データに基づく潜像の印刷を露光によりインスタントフイルムシート１００１上に行ないながら、そのインスタントフイルムシート１００１を顕像しつつ、プリンタ２００の送出口２０９から外部へ徐々に排出する。その後、リピートＳＷ２０２が操作されたときにも、その画像と同じ画像の再印刷が別のインスタントフイルムシート１００１上に行なわれる。
【００４２】
図３は、図２に示すデジタルカメラおよびプリンタ双方の概略回路ブロックを示す図である。
【００４３】
図３に示すデジタルカメラ１には、後述するＣＰＵ１００，画像入力装置１１０，ストレージ装置１３０，ＩｒＤＡ通信装置１５０、および前述した図１に示すキー入力装置１２０，液晶表示装置１４０，閃光発光装置１６０が備えられている。また、プリンタ２００には、ＣＰＵ２１０，印刷装置２２０，ＩｒＤＡ通信装置２３０が備えられている。
【００４４】
図４は、図３に示すデジタルカメラの回路構成を示すブロック図である。
【００４５】
このデジタルカメラ１には、撮影ズームレンズ１１１と、その撮影ズームレンズ１１１を経由して結像された被写体像をアナログの画像信号に変換する撮像素子１１２が備えられている。また、このデジタルカメラ１には、撮像素子１１２からのアナログの画像信号をガンマ補正，白バランス調整等のアナログ信号処理を行なうアナログ信号処理部１１３と、そのアナログ信号処理部１１３で処理されたアナログの画像信号をデジタルの画像信号にＡ／Ｄ変換するＡ／Ｄコンバータ１１４が備えられている。これら撮影ズームレンズ１１１，撮像素子１１２，アナログ信号処理部１１３，Ａ／Ｄコンバータ１１４から画像入力装置１１０が構成される。
【００４６】
また、このデジタルカメラ１には、Ａ／Ｄコンバータ１１４からの画像信号のデジタル処理を行なうとともに、このデジタルカメラ１全体を制御するＣＰＵ１００が備えられている。また、この図４には、前述したキー入力装置１２０，ストレージ装置１３０，液晶表示装置１４０，ＩｒＤＡ通信装置１５０も示されている。
【００４７】
ここで、ストレージ装置１３０は、本発明にいうリスト記憶部の一例に相当し、このストレージ装置１３０には、後述する、画像データの送信が許可された機器の種別のリストが記憶される。
【００４８】
また、ＩｒＤＡ通信装置１５０は、情報受信部１５１と、送信可否判定部１５２と、画像送信部１５３と、通信接断部１５４と、画像変換部１５５とから構成される。
【００４９】
情報受信部１５１は、プリンタ２００から赤外線で送信されてきた、プリンタ２００の種別を表わす種別情報を受信する。
【００５０】
送信可否判定部１５２は、情報受信部１５１で受信した種別情報が表わす種別が、ストレージ装置１３０に記憶されたリスト中に記載されているか否かを判定する。
【００５１】
画像変換部１５５は、送信可否判定部１５２により、情報受信部１５１で受信した種別情報が表わす種別が上記リスト中に記載されているとの判定結果を受けて、その種別に応じたフォーマットの画像データに変換して画像送信部１５３に渡す。
【００５２】
画像送信部１５３は、画像変換部１５５からの画像データをプリンタ２００に向けて赤外線で送信する。
【００５３】
通信接断部１５４は、送信可否判定部１５２により情報受信部１５１で受信した種別情報が表わす種別が上記リスト中に記載されていないとの判定結果を受けて通信が確立されている通信相手との通信を一旦遮断し再び通信の確立を試みるものである。このため、ユーザは、適合する相手機器に向けて通信の確立を試みる操作をその都度行なう必要はなく、従ってユーザの手間を省くことができる。尚、通信接断部１５４の機能を使用するか否かは、メニューの設定や選択を行なうための十字スイッチ１２４（図１参照）の操作により行なうことができる。
【００５４】
本発明の第１の画像蓄積装置の一実施形態であるデジタルカメラ１は、相手機器であるプリンタ２００から赤外線で送信されてきた種別情報を情報受信部１５１で受信し、その種別情報が表わす種別が、画像データの送信が許可された機器の種別のリスト中に記載されているか否かを送信可否判定部１５２で判定する。さらに、その判定結果を受けて画像変換部１５５でその種別に応じたフォーマットの画像データに変換して、画像送信部１５３でその種別情報を送信してきた相手機器に向けて画像データを赤外線で送信する。このため、不適合な相手機器との間で赤外線通信が確立した場合に、その相手機器に向けて画像データの赤外線送信を防止することができる。
【００５５】
ここで、液晶表示装置１４０が、本発明にいう警告表示部の一例に相当し、この液晶表示装置１４０は、送信可否判定部１５２により情報受信部１５１で受信した種別情報が表わす種別が上記リスト中に記載されていないとの判定結果を受けて警告を表示する。このため、上記リストに記載されていない種別情報で表わされる種別の相手機器に向けて赤外線通信を行なうという試みを防止することができる。
【００５６】
図５は、図４に示すデジタルカメラの、相手機器との間で赤外線通信を行なうための第１の処理ルーチンのフローチャートである。また、図６は、ストレージ装置に記憶される機器の種別のリストを示す図、図７は、ストレージ装置に記憶される機器の種別と送信画像データのフォーマットとの対応リストを示す図である。
【００５７】
尚、第１の処理ルーチンでは、通信接断部１５４の機能が動作しないように設定されている。
【００５８】
デジタルカメラ１では、ステップＳ１において、相手機器から名称（その機器の種別）を取得してステップＳ２に進む。
【００５９】
ステップＳ２では、印刷可能な機器リスト上に名称があるか否かが判定される。即ち、図６に示すリスト上に相手機器名（ここでは、ＦＦ−１００，ＦＦ−３００，ＦＦ−３５０のいずれかの機器名）があるか否かが判定される。ステップＳ２において、リスト上に相手機器名があると判定された場合はステップＳ３に進む。
【００６０】
ステップＳ３では、デジタルカメラ１が有する画像選択モードに遷移する。次に、ステップＳ４において、画像選択モードにおいて画像を選択し、選択した画像を、機器名に応じたデータ形式に変換する。即ち、図７に示すリスト上の機器名に応じたデータ形式に変換する。具体的には、機器名がＦＦ−１００であればＪＰＥＧ，６４０×４８０に変換し、機器名がＦＦ−３００であればＢＭＰ，３２０×２４０に変換し、機器名がＦＦ−３５０であればＲＧＢ，３５２×２８８に変換する。さらに、ステップＳ５において、変換した画像を送信して、このルーチンを終了する。
【００６１】
一方、ステップＳ２において、リスト上に相手機器名がないと判定された場合はステップＳ６に進む。ステップＳ６では、「＜機器名称＞には印刷できない」旨を液晶表示装置１４０に表示して、このルーチンを終了する。
【００６２】
図８は、図４に示すデジタルカメラの、相手機器との間で赤外線通信を行なうための第２の処理ルーチンのフローチャートである。
【００６３】
尚、第２の処理ルーチンでは、通信接断部１５４の機能が動作するように設定されている。
【００６４】
先ず、ステップＳ１１において、相手機器との通信が確立したか否かが判定される。相手機器との通信が確立したと判定された場合は、ステップＳ１２に進む。ステップＳ１２では、相手機器から名称を取得して、後述するステップＳ１５に進む。
【００６５】
一方、ステップＳ１１において、相手機器との通信が確立していないと判定された場合は、ステップＳ１３に進む。ステップＳ１３では、開始から一定時間（３０秒）が経過したか否かが判定される。開始から一定時間が経過していないと判定された場合は、ステップＳ１１に戻る。一方、開始から一定時間が経過していると判定された場合、ステップＳ１４に進む。ステップＳ１４では、「機器がみつからない」旨の警告を液晶表示装置１４０に表示して、このルーチンを終了する。
【００６６】
さらに、ステップＳ１５では、印刷可能な機器リスト上に名称があるか否かが判定される。印刷可能な機器リスト上に名称があると判定された場合はステップＳ１６に進む。
【００６７】
ステップＳ１６では、画像選択モードに遷移する。次に、ステップＳ１７において、選択した画像を、機器名称に応じたデータ形式に変換する。さらに、ステップＳ１８において、変換した画像を送信して、このルーチンを終了する。
【００６８】
一方、ステップＳ１５において、印刷可能な機器リスト上に名称がないと判定された場合はステップＳ１９に進む。ステップＳ１９では、開始から一定時間（３０秒）が経過したか否かが判定される。開始から一定時間が経過していないと判定された場合は、ステップＳ１１に戻る。一方、開始から一定時間が経過していると判定された場合、ステップＳ２０に進む。ステップＳ２０では、「＜機器名称＞には印刷できない」旨を液晶表示装置１４０に表示して、このルーチンを終了する。
【００６９】
図９は、本発明の第２の画像蓄積装置の一実施形態であるデジタルカメラの回路構成を示すブロック図である。
【００７０】
尚、本発明の第２の画像蓄積装置の一実施形態であるデジタルカメラの外観図は、図１に示すデジタルカメラの外観図と同じであるため、図示省略する。
【００７１】
図９に示すデジタルカメラ２は、図４に示すデジタルカメラ１と比較し、ＩｒＤＡ通信装置１５０に代わるＩｒＤＡ通信装置１８０が備えられている点が異なっている。
【００７２】
このＩｒＤＡ通信装置１８０には、機能一覧情報受信部１８１と、送信可否判定部１８２と、画像送信部１８３と、前述した通信接断部１５４とが備えられている。
【００７３】
機能一覧情報受信部１８１は、相手機器の、画像データに基づく画像のプリント出力の機能を有するか否かの情報を含む機能一覧を表わす機能一覧情報を赤外線で受信する。
【００７４】
送信可否判定部１８２は、機能一覧情報受信部１８１で受信した機能一覧情報中に画像データに基づく画像のプリント出力の機能を有する旨の情報が含まれているか否かを判定する。
【００７５】
画像送信部１８３は、送信可否判定部１８２により、機能一覧情報受信部１８１で受信した機能一覧情報中に画像データに基づく画像のプリント出力の機能を有する旨の情報が含まれているとの判定結果を受けて、その機能一覧情報を送信してきた相手機器に向けて画像データを赤外線で送信する。
【００７６】
本発明の第２の画像蓄積装置の一実施形態であるデジタルカメラ２は、相手機器から赤外線で送信されてきた機能一覧情報を機能一覧情報受信部１８１で受信し、その機能一覧情報中に画像データに基づく画像のプリント出力の機能を有する旨の情報が含まれているか否かを送信可否判定部１８２で判定する。さらに、その判定結果を受けて、その機能一覧情報を送信してきた相手機器に向けて画像送信部１８３で画像データを赤外線で送信する。このため、不適合な相手機器との間で赤外線通信が確立した場合に、その相手機器に向けて画像データの赤外線送信を防止することができるとともに、新たな規格を有する相手機器にも対応することができる。
【００７７】
また、このデジタルカメラ２は、送信可否判定部１８２により、機能一覧情報受信部１８１で受信した機能一覧情報中に画像データに基づく画像のプリント出力の機能を有する旨の情報が含まれているとの判定結果を受けて警告を液晶表示装置１４０に表示する。このため、機能一覧情報中に含まれていない情報の機能を有する相手機器に向けて赤外線通信を行なうという試みを防止することができる。
【００７８】
図１０は、図９に示すデジタルカメラの、相手機器との間で赤外線通信を行なうための第１の処理ルーチンのフローチャートである。また、図１１は、機能一覧情報の一例を示す図である。
【００７９】
デジタルカメラ２の第１の処理ルーチンでは、通信接断部１５４の機能が動作しないように設定されている。
【００８０】
先ず、ステップＳ３１において、相手機器から機能一覧情報（サービスヒントビットと称する）を取得する。ここで、サービスヒントビットについて、図１１を参照して説明する。図１１には、機能一覧情報であるサービスヒントビットの一例が示されている。図１１に示すサービスヒントビットのうちの１ビット目（右端のビット）には、受信データをプリントするか否かを示す情報が格納される。ここでは、１ビット目の情報は、受信データをプリントする旨の‘１’になっている。また、２ビット目には、受信データを液晶表示するか否かを示す情報が格納される。ここでは、２ビット目の情報は、受信データを液晶表示しない旨の‘０’になっている。さらに、３ビット目には、受信データを保存するか否かを示す情報が格納される。ここでは、３ビット目の情報は、受信データを保存しない旨の‘０’になっている。また、４ビット目には、受信データをレタッチ（加工）するか否かを示す情報が格納される。ここでは、４ビット目の情報は、受信データをレタッチしない旨の‘０’になっている。
【００８１】
再び図１０に戻って説明を続ける。ステップＳ３２では、印刷可能を示すサービスヒントビットが真（‘１’）であるか否かが判定される。即ち、１ビット目の情報が‘１’であるか否かが判定される。印刷可能を示すサービスヒントビットが真であると判定された場合はステップＳ３３に進む。
【００８２】
ステップＳ３３では、画像選択モードに遷移する。次に、ステップＳ３４において、選択した画像を送信して、このルーチンを終了する。
【００８３】
一方、ステップＳ３２において、印刷可能を示すサービスヒントビットが真でないと判定された場合はステップＳ３５に進む。ステップＳ３５では、「この機器には印刷できない」旨を液晶表示装置１４０に表示して、このルーチンを終了する。
【００８４】
図１２は、図９に示すデジタルカメラの相手機器であるプリンタにおける処理ルーチンのフローチャートである。
【００８５】
先ず、ステップＳ４１において、相手機器（ここではデジタルカメラ２）からコマンドを受信してステップＳ４２に進む。
【００８６】
ステップＳ４２では、機器名称の要求コマンドか否かが判定される。機器名称の要求コマンドであると判定された場合は、ステップＳ４３に進む。ステップＳ４３では、自身の名称をデジタルカメラ２に送信してステップＳ４１に戻る。
【００８７】
一方、機器名称の要求コマンドではないと判定された場合は、ステップＳ４４に進む。ステップＳ４４では、サービスヒントビットの要求コマンドか否かが判定される。サービスヒントビットの要求コマンドであると判定された場合は、ステップＳ４５に進む。ステップＳ４５では、サービスヒントビットをデジタルカメラ２に送信してステップＳ４１に戻る。
【００８８】
また、サービスヒントビットの要求コマンドではないと判定された場合は、ステップＳ４６に進む。ステップＳ４６では、印刷コマンドか否かが判定される。印刷コマンドであると判定された場合は、ステップＳ４７に進む。ステップＳ４７では、画像データを受信してステップＳ４８に進む。ステップＳ４８では、印刷を行なってステップＳ４１に戻る。一方、印刷コマンドでないと判定された場合は、そのままステップＳ４１に戻る。
【００８９】
図１３は、図９に示すデジタルカメラの、相手機器との間で赤外線通信を行なうための第２の処理ルーチンのフローチャートである。
【００９０】
尚、第２の処理ルーチンでは、通信接断部１５４の機能が動作するように設定されている。
【００９１】
先ず、ステップＳ５１において、相手機器との通信が確立したか否かが判定される。相手機器との通信が確立したと判定された場合は、ステップＳ５２に進む。ステップＳ５２では、相手機器からサービスヒントビットを取得して、後述するステップＳ５５に進む。
【００９２】
一方、ステップＳ５１において、相手機器との通信が確立していないと判定された場合は、ステップＳ５３に進む。ステップＳ５３では、開始から一定時間（３０秒）が経過したか否かが判定される。開始から一定時間が経過していないと判定された場合は、ステップＳ５１に戻る。一方、開始から一定時間が経過していると判定された場合、ステップＳ５４に進む。ステップＳ５４では、「機器がみつからない」旨の警告を液晶表示装置１４０に表示して、このルーチンを終了する。
【００９３】
ステップＳ５５では、印刷可能を示すサービスヒントビットが真であるか否かが判定される。印刷可能を示すサービスヒントビットが真であると判定された場合はステップＳ５６に進む。
【００９４】
ステップＳ５６では、画像選択モードに遷移する。次に、ステップＳ５７において、選択した画像を送信して、このルーチンを終了する。
【００９５】
一方、ステップＳ５５において、印刷可能を示すサービスヒントビットが真でないと判定された場合はステップＳ５８に進む。ステップＳ５８では、開始から一定時間（３０秒）が経過したか否かが判定される。開始から一定時間が経過していないと判定された場合は、ステップＳ５１に戻る。一方、開始から一定時間が経過していると判定された場合、ステップＳ５９に進む。ステップＳ５９では、「＜機器名称＞には印刷できない」旨を液晶表示装置１４０に表示して、このルーチンを終了する。
【００９６】
尚、上述した本実施形態では、デジタルカメラの例で説明したが、これに限られるものではなく、本発明は、カメラ付き携帯電話やビデオカメラ等であってもよい。
【００９７】
また、上述した本実施形態では、ＩｒＤＡ（Ｉｎｆｒａｒｅｄ  Ｄａｔａ  Ａｓｓｏｃｉａｔｉｏｎ）に準拠した赤外線通信の例で説明したが、本発明は、これに限られるものではなく、ブルートゥース規格に準拠した電波通信等の無線通信を適用することもできる。
【図面の簡単な説明】
【００９８】
【図１】本発明の第１の画像蓄積装置の一実施形態であるデジタルカメラの外観図である。
【図２】図１に示すデジタルカメラと、赤外線通信の相手機器であるプリンタとの間で赤外線通信が行なわれる様子を示した図である。
【図３】図２に示すデジタルカメラおよびプリンタ双方の概略回路ブロックを示す図である。
【図４】図３に示すデジタルカメラの回路構成を示すブロック図である。
【図５】図４に示すデジタルカメラの、相手機器との間で赤外線通信を行なうための第１の処理ルーチンのフローチャートである。
【図６】ストレージ装置に記憶される機器の種別のリストを示す図である。
【図７】ストレージ装置に記憶される機器の種別と送信画像データのフォーマットとの対応リストを示す図である。
【図８】図４に示すデジタルカメラの、相手機器との間で赤外線通信を行なうための第２の処理ルーチンのフローチャートである。
【図９】本発明の第２の画像蓄積装置の一実施形態であるデジタルカメラの回路構成を示すブロック図である。
【図１０】図９に示すデジタルカメラの、相手機器との間で赤外線通信を行なうための第１の処理ルーチンのフローチャートである。
【図１１】機能一覧情報の一例を示す図である。
【図１２】図９に示すデジタルカメラの相手機器であるプリンタにおける処理ルーチンのフローチャートである。
【図１３】図９に示すデジタルカメラの、相手機器との間で赤外線通信を行なうための第２の処理ルーチンのフローチャートである。
【符号の説明】
【００９９】
１，２  デジタルカメラ
１００，２１０  ＣＰＵ
１１０  画像入力装置
１１１  撮影ズームレンズ
１１２  撮像素子
１１３  アナログ信号処理部
１１４  Ａ／Ｄコンバータ
１２０  キー入力装置
１２１  電源スイッチ
１２２  撮影・再生切替レバー
１２３  撮影モードダイヤル
１２４  十字スイッチ
１２５  閃光発光用のスイッチ
１２６ａ  実行スイッチ
１２６ｂ  キャンセルスイッチ
１２７  シャッタボタン
１３０  ストレージ装置
１４０  液晶表示装置
１４１  表示部
１５０，１８０，２３０  ＩｒＤＡ通信装置
１５０ａ  赤外線送受信窓
１５１  情報受信部
１５２，１８２  送信可否判定部
１５３，１８３  画像送信部
１５４  通信接断部
１５５  画像変換部
１６０  閃光発光装置
１６０ａ  閃光発光管
１８１  機能一覧情報受信部
２００  プリンタ
２００ａ  筐体
２０１  電源ＳＷ
２０２  リピートＳＷ
２０３  カウンタ
２０４  送受信部
２０５  電源用ＬＥＤ
２０６  通信エラー用ＬＥＤ
２０７  ローバッテリ表示用ＬＥＤ
２０８  フイルムドア開放スイッチ
２０９  送出口
２２０  印刷装置
１００１  インスタントフイルムシート
【図１】
2006203547.tif 000003
【図２】
2006203547.tif 000004
【図３】
2006203547.tif 000005
【図４】
2006203547.tif 000006
【図５】
2006203547.tif 000007
【図６】
2006203547.tif 000008
【図７】
2006203547.tif 000009
【図８】
2006203547.tif 000010
【図９】
2006203547.tif 000011
【図１０】
2006203547.tif 000012
【図１１】
2006203547.tif 000013
【図１２】
2006203547.tif 000014
【図１３】
2006203547.tif 000015